(57)【要約】【課題】冷却効果の持続性に優れ、繰り返し利用可能であって、長時間使用後の保形性が良く、繰り返し使用後の結晶成長の問題もなく、さらに初期接触時の冷感作用にも優れた芒硝を含有する恒温冷媒剤が提供される。【解決手段】芒硝、スメクタイト、水、及びゲル化剤を恒温冷媒剤に含有させる。【選択図】なし【特許請求の範囲】
【請求項１】
芒硝、スメクタイト、水、及びゲル化剤を含有する恒温冷媒剤。
【請求項２】
前記スメクタイトが、ベントナイトである、請求項１に記載の恒温冷媒剤。
【請求項３】
前記ゲル化剤が、ポリアクリル酸又はその塩、及び水溶性セルロース誘導体から選択される一種又は二種以上である、請求項１又は２に記載の恒温冷媒剤。
【請求項４】
さらに、エタノール、プロパノール、イソプロパノール、エチレングリコール、ポリエチレングリコール、プロピレングリコール、ポリプロピレングリコール、１，３−ブチレングリコール、グリセリン、ワセリン、硬化油、スクワラン及びスクワレンからなる群から選ばれる１種又は２種以上の溶剤を含有する請求項１〜３のいずれか一項に記載の恒温冷媒剤。
【請求項５】
前記ゲル化剤の含有率が、恒温冷媒剤全体に対して総量で２〜１０重量％である、請求項１〜４のいずれか一項に記載の恒温冷媒剤。
【請求項６】
前記スメクタイトの含有率が、恒温冷媒剤全体に対して０．１〜１０重量％である、請求項１〜５のいずれか一項に記載の恒温冷媒剤。
【請求項７】
前記芒硝の含有率が、恒温冷媒剤全体に対して５０〜８５重量％である、請求項１〜６のいずれか一項に記載の恒温冷媒剤。
【請求項８】
請求項１〜７のいずれか一項に記載の恒温冷媒剤が封入された袋体。
【請求項９】
請求項８に記載の袋体が挿入又は装着された冷却材。
【請求項１０】
芒硝水溶液中に析出する芒硝の結晶成長を抑制する方法であって、前記芒硝水溶液にスメクタイト及びゲル化剤を添加する工程を含む方法。
【請求項１１】
前記ゲル化剤が、ポリアクリル酸又はその塩、及び水溶性セルロース誘導体から選択される一種又は二種以上である、請求項１０に記載の方法。
【発明の詳細な説明】
【技術分野】
【０００１】
本発明は、芒硝を含有する恒温冷媒剤に関する。
【背景技術】
【０００２】
現代における住空間では、夏の暑さから解放され冷感を得るためにクーラーや扇風機といった電化製品を利用することが一般的となっている。
しかし、近年は環境問題等に配慮し電力消費量の低減が求められている。そのため、電力を必要としない、夏の暑さ対策のための様々な製品が再び注目されてきている。例えば、カルボキシメチルセルロースやポリアクリル酸ナトリウム等の吸水性高分子ゲルを恒温冷媒剤として使用した冷却剤（特許文献１、２）が知られており、これを封入したマットや寝具等は広く一般に上市されている。しかし、吸水性高分子ゲルを冷媒とするには使用前に予め冷蔵庫等で冷やす必要があり、さらに開放系では冷却効果の持続性に難点がある。
このような問題点のない冷却剤としては、芒硝（硫酸ナトリウム・十水和物）を恒温冷媒剤として使用したもの（特許文献３）が知られており、これを封入したマット等の種々の製品も広く一般に上市されている。芒硝を冷媒とする恒温冷媒剤では、芒硝特有の結晶構造の変化に基づく吸熱反応を利用するため、使用前に予め冷やすことなく、かつ冷却効果も十分に持続するという利点がある。さらに、このような恒温冷媒剤は繰り返し使用できる点でも利便性があるが、使用を繰り返すうちに芒硝の微小結晶が徐々に成長する現象がみられる。そのため、これを冷却剤としてマットや寝具等に用いる場合に、使用の繰り返しによりゴツゴツとした触感が増大し、その使用感が損なわれていく場合がある。
このような問題に対しては、芒硝を利用した冷媒剤中にベントナイト、及び水を配合し、芒硝の結晶成長を抑制させた恒温冷媒剤が開示されている（特許文献４、５）。
しかし、これらの恒温冷媒剤は保形性が悪く、シートやマット、座布団として使用すると内容物の偏りや底つき等の問題があり、繰り返し使用後の結晶成長抑制効果も十分でないため、さらなる改善が求められている。
【先行技術文献】
【特許文献】
【０００３】
【特許文献１】特開平４−８１４９２号公報
【特許文献２】特開２００３−１２９０４０号公報
【特許文献３】実開平６−０５２８１５号公報
【特許文献４】特許第２８６９６３３号公報
【特許文献５】特開２００８−８８２２３号公報
【発明の概要】
【発明が解決しようとする課題】
【０００４】
本発明は、冷却効果の持続性に優れ、繰り返し利用可能であって、長時間使用後の保形性、及び繰り返し使用後の結晶成長の問題を改善し、さらに初期接触時の冷感作用にも優れた芒硝を含有する恒温冷媒剤を提供することを目的とする。
【課題を解決するための手段】
【０００５】
上記課題を解決するために本発明者は鋭意検討した結果、芒硝、スメクタイト及び水を含有する冷媒剤に、さらにゲル化剤を配合することで前記課題を解決できることを見出し、本発明を完成した。
すなわち本発明は、芒硝、スメクタイト、水及びゲル化剤を含有する恒温冷媒剤に関する。さらに、本発明は、前記恒温冷媒剤が封入された袋体に関する。さらに、本発明は、
前記袋体が挿入又は装着された冷却材に関する。
また、本発明は、芒硝水溶液にスメクタイト及びゲル化剤を添加する工程を含む、前記芒硝の結晶の成長を抑制する方法にも関する。
【０００６】
より具体的には、本発明は以下の通りである。
（１）芒硝、スメクタイト、水、及びゲル化剤を含有する恒温冷媒剤。
（２）前記スメクタイトが、ベントナイトである、（１）に記載の恒温冷媒剤。
（３）前記ゲル化剤が、ポリアクリル酸又はその塩、及び水溶性セルロース誘導体から選択される一種又は二種以上である、（１）又は（２）に記載の恒温冷媒剤。
（４）さらに、エタノール、プロパノール、イソプロパノール、エチレングリコール、ポリエチレングリコール、プロピレングリコール、ポリプロピレングリコール、１，３−ブチレングリコール、グリセリン、ワセリン、硬化油、スクワラン及びスクワレンからなる群から選ばれる１種又は２種以上の溶剤を含有する（１）〜（３）のいずれかに記載の恒温冷媒剤。
（５）前記ゲル化剤の含有率が、恒温冷媒剤全体に対して総量で２〜１０重量％である、（１）〜（４）のいずれかに記載の恒温冷媒剤。
（６）前記スメクタイトの含有率が、恒温冷媒剤全体に対して０．１〜１０重量％である、（１）〜（５）のいずれかに記載の恒温冷媒剤。
（７）前記芒硝の含有率が、恒温冷媒剤全体に対して５０〜８５重量％である、（１）〜（６）のいずれかに記載の恒温冷媒剤。
（８）（１）〜（７）のいずれかに記載の恒温冷媒剤が封入された袋体。
（９）（８）に記載の袋体が挿入又は装着された冷却材。
（１０）芒硝水溶液中に析出する芒硝の結晶成長を抑制する方法であって、前記芒硝水溶液にスメクタイト及びゲル化剤を添加する工程を含む方法。
（１１）前記ゲル化剤が、ポリアクリル酸又はその塩、及び水溶性セルロース誘導体から選択される一種又は二種以上である、（１０）に記載の方法。
【発明の効果】
【０００７】
本発明により、冷却効果の持続性に優れ、繰り返し利用可能であって、長時間使用後の保形性が良く、繰り返し使用後の結晶成長の問題もなく、さらに初期接触時の冷感作用にも優れた芒硝を含有する恒温冷媒剤が提供される。さらに、製剤中にゲル化剤が入っていることにより、恒温冷媒剤が封入される袋体の内側に芒硝の結晶による傷がつきにくく、内容物の漏れも低減できる。さらに、製剤中にゲル化剤が入っていることにより、恒温冷媒剤にクッション性が付与される。これらの効果により、使用感に優れる恒温冷媒剤が提供される。
【発明を実施するための形態】
【０００８】
本発明の恒温冷媒剤は、芒硝、スメクタイト、水、及びゲル化剤を含有する。
【０００９】
本発明において、芒硝とは、硫酸ナトリウム十水和物の別名である。飽和硫酸ナトリウム水溶液から常温で結晶化させることにより得ることができる。硫酸ナトリウム十水和物は３２℃付近で水和水に溶解し硫酸ナトリウム水溶液となり、その際に吸熱反応が起こるため、恒温冷媒剤における冷媒として用いた場合に冷感を得ることができる。また、硫酸ナトリウム水溶液を３２℃以下に冷却すると過飽和分の硫酸ナトリウムは十水和物として析出する。
本発明において芒硝とは、特に断りがない限り３２℃以下で硫酸ナトリウム十水和物を含有する硫酸ナトリウム化合物を意味する。
本発明の恒温冷媒剤中の芒硝の含有率は特に制限はないが、恒温冷媒剤全体に対して５０〜８５重量％であることが好ましく、６５〜７５重量％であることがより好ましい。
【００１０】
また、本発明においてスメクタイトとは、薄板状八面体結晶構造を持つ膨潤性粘土鉱物の一種である。スメクタイトは、適量の水と混合させることにより吸水膨潤し、コロイド性を発現して適度なチキソトロピー性を有する懸濁液を与える。そのため、本発明におけるスメクタイトは、恒温冷媒剤に含有される芒硝を分散してその結晶成長を抑制させ、また恒温冷媒剤に柔軟性や流動性を付与する。
本発明に使用するスメクタイトとしては、モンモリロナイト、バイデライト、ノントロナイト、サポナイト、ヘクトナイト、ソコナイト、又はスチーブンサイト等を主成分として含有するものが挙げられ、天然物、人工物を問わない。これらのうち、恒温冷媒剤の冷却効果の持続時間を長くする効果が得られるため、モンモリロナイトを主成分とするものが好ましく、例えば酸性白土、又はベントナイト等が挙げられ、ベントナイトがより好ましい。
本発明の恒温冷媒剤中のスメクタイトの含有率は特に制限はないが、恒温冷媒剤全体に対して０．１〜１０重量％であることが好ましく、芒硝の結晶成長抑制効果及び恒温冷媒剤の柔軟性・流動性の観点から１〜１０重量％であることがより好ましい。また、本発明の恒温冷媒剤中のスメクタイトの含有量は、芒硝の結晶成長抑制効果の観点から、恒温冷媒剤重量比でスメクタイト：芒硝＝０．００１：１〜１：１であることが好ましく、０．００４：１〜０．１：１であることがより好ましい。
【００１１】
また、本発明においてゲル化剤とは、室温〜体温程度の温度範囲において、水と接触すると溶解又は粘稠な液となるか、或いは膨潤してヒドロゲルを形成する性質を有する高分子である。本発明におけるゲル化剤は、恒温冷媒剤に含有される芒硝を分散してその結晶成長を顕著に抑制させ、特に、芒硝の溶解及び再結晶を繰り返した場合であっても、その結晶成長抑制効果を維持する。また、本発明におけるゲル化剤は、恒温冷媒剤にクッション性及び初期接触時の優れた冷感作用を付与する。
本発明に使用するゲル化剤としては、水を保持し、チキソトロピー性を有するものであれば、特に制限なく用いることができる。例えば、アルギン酸ナトリウム等のアルギン酸又はその塩、ペクチン、カラギーナン、キサンタンガム、デンプン、トラガントゴム、キサンタンゴム、コラーゲン、ゼラチン、ガラクトマンナン、糖タンパク質、プロテオグリカン、グルコサミノグリカン、ポリビニルアルコール、ポリエチレングリコール、ポリプロピレングリコール、シリコーン、ポリアクリル酸又はその塩、ポリアクリル酸部分中和物又は水溶性セルロース誘導体等が挙げられる。
水溶性セルロース誘導体としては、例えば、メチルセルロース、ヒドロキシエチルセルロース、ヒドロキシプロピルセルロース、ヒドロキシプロピルメチルセルロース、カルボキシメチルセルロース、又はカルボキシメチルセルロースナトリウム等が挙げられる。
本発明においてはポリアクリル酸又はその塩、及び／又は水溶性セルロース誘導体を使用することが好ましい。これらは一種又は二種以上を混合して使用することができる。
本発明の恒温冷媒剤中のゲル化剤の含有率は特に制限はないが、恒温冷媒剤全体に対して総量で２〜１０重量％であることが好ましく、芒硝の分散性及びそれによる結晶成長抑制効果並びに恒温冷媒剤のクッション性の観点から３〜９重量％であることがより好ましい。また、本発明の恒温冷媒剤中のゲル化剤の含有量は、芒硝の分散性の観点から、恒温冷媒剤重量比でゲル化剤：芒硝＝０．０１：１〜１：１であることが好ましく、０．０６：１〜０．４：１であることがより好ましい。
【００１２】
本発明の恒温冷媒剤に含有させる水は、芒硝、スメクタイト、及びゲル化剤を溶解又は分散させる役割を果たす。
本発明の恒温冷媒剤に含有させる水は、純度が高いことが好ましく、精製水がより好ましく、超純水がさらに好ましい。
本発明の恒温冷媒剤中の水の含有率は特に制限はないが、製剤全体に対して５〜４５重量％であることが好ましく、１０〜３５重量％であることがより好ましく、１０〜３０重量％であることがさらに好ましい。含有率が４５重量％より大きいと芒硝の結晶が生じに
くく、また、５重量％より小さいと恒温冷媒剤が硬くなり使用時の感触が損なわれ、また初期接触時の冷感も劣るからである。
【００１３】
さらに、本発明の恒温冷媒剤には本発明の効果を損なわない範囲で、任意に防腐剤、色素、紫外線吸収剤、紫外線遮断剤、ｐＨ調節剤、界面活性剤、又は溶剤等を配合することができる。
【００１４】
防腐剤としては、安息香酸、安息香酸ナトリウム、パラオキシ安息香酸メチル、パラオキシ安息香酸エチル、パラオキシ安息香酸プロピル、パラオキシ安息香酸イソプロピル、パラオキシ安息香酸ブチル、パラオキシ安息香酸イソブチル、クレゾール、クロロクレゾール、塩化ベンザルコニウム、又は塩化ベンゼトニウム等が挙げられる。
本発明の恒温冷媒剤に、これらの防腐剤をさらに配合すると冷媒材に混入した菌類の増殖を防ぐことができ、また、製品としての劣化を防ぐことができるため好ましい。
【００１５】
色素としては、タール色素、天然色素、無機顔料、高分子粉体等が挙げられる。
【００１６】
紫外線吸収剤としては、パラメトキシ経皮酸エチル、パラメトキシ経皮酸イソプロピル、パラメトキシ経皮酸オクチル、パラメトキシ経皮酸２−エトキシエチル、パラメトキシ経皮酸２−エチルヘキシル、パラメトキシ経皮酸カリウム、パラメトキシ経皮酸モノ−２−エチルヘキサン酸グリセリル、ジパラメトキシ経皮酸グリセリルオクチル、トリメトキシ経皮酸メチルビス（トリメチルシロキシ）シリルイソペンチル、２−ヒドロキシ−４−メトキシベンゾフェノン、２−ヒドロキシ−４−メトキシベンゾフェノン−５−スルホン酸、ジヒドロキシジメトキシベンゾフェノン、ジヒドロキシジメトキシベンゾフェノン−スルホン酸ナトリウム、パラアミノ安息香酸、パラアミノ安息香酸エチル、パラアミノ安息香酸グリセリル、サリチル酸オクチル、サリチル酸フェニル、サリチル酸エチレングリコール、サリチル酸ミリスチル、サリチル酸メチル、ウロカニン酸、ウロカニン酸エチル、２−（２'−ヒドロキシ−５'−メチルフェニル）ベンゾトリアゾール、アントラニル酸メチル等が挙げられる。
本発明の恒温冷媒剤に、これらの紫外線吸収剤をさらに配合すると紫外線を受けることによる製品の劣化を防ぐことができるため好ましい。
【００１７】
紫外線遮断剤として、例えば、酸化チタン、タルク、カルミン、カオリン、酸化亜鉛等が挙げられる。
本発明の恒温冷媒剤に、これらの紫外線遮断剤をさらに配合すると紫外線を受けることによる製品の劣化を防ぐことができるため好ましい。
【００１８】
ｐＨ調整剤としては、塩酸、リン酸、ホウ酸などの無機酸、クエン酸、リンゴ酸などの有機酸、水酸化ナトリウム、水酸化カリウムなどの無機塩基、トリエタノールアミン、ジエタノールアミン、ジイソプロパノールアミンなどの有機塩基等が挙げられる。
【００１９】
界面活性剤としては、ステアリン酸カルシウム、ステアリン酸マグネシウム、ラウリル硫酸ナトリウム等の陰イオン性界面活性剤、塩化セチルピリゾニウム等の陽イオン性界面活性剤、モノステアリン酸グリセリル、ショ糖脂肪酸エステル、ポリオキシエチレン硬化ヒマシ油、ポチオキシエチレンソルビタン脂肪酸エステル、ポリオキシエチレン脂肪酸エステル、ポリオキシエチレンアルキルエーテル等の非イオン性界面活性剤が挙げられる。
【００２０】
溶剤としては、水以外にエタノール、プロパノール、イソプロパノール、エチレングリコール、ポリエチレングリコール、プロピレングリコール、ポリプロピレングリコール、１，３−ブチレングリコール、グリセリン、ワセリン、硬化油、スクワラン、スクワレン等が挙げられる。
本発明の恒温冷媒剤に、これらの溶剤をさらに配合すると使用感の向上や保形性の改善が認められるため好ましい。特に、高温で長時間保存されていたために製剤中の結晶が完全に溶けきった場合でも容易に再結晶化させることができ、繰り返し使用しても製剤の分離が起きにくくなるため好ましい。
本発明の恒温冷媒剤中の溶剤の含有率は、特に制限はないが０重量％〜２０重量％が好ましく、５重量％〜１５重量％がより好ましく、８重量％〜１５重量％が特に好ましい。
【００２１】
本発明の恒温冷媒剤は、公知の方法に準じて、上記の各成分を攪拌混合することにより製造することができる。攪拌の際には、各成分の均一な溶解のため必要に応じて加温してもよい。また、芒硝を配合するときは過飽和溶液とすると、均一な混合液を得やすい。
【００２２】
本発明の恒温冷媒剤は、前記成分を袋に充填することにより袋体とすることができる。本発明では、この袋体を直接冷却剤として使用することもできるし、袋体をカバーに挿入、装着、包装又は封入して冷却材として使用することができる。本発明の恒温冷媒剤を封入した袋体は、冷却材として長時間使用後であっても保形性に優れる。また、恒温冷媒剤中の芒硝の結晶の成長が抑制されるため、該結晶によって袋体の内側に傷がつきにくく、内容物の漏れも低減できるうえ、使用時にゴツゴツした感触による不快感もない。また、初期接触時の冷感作用にも優れている。
本発明の冷却材は、例えば、椅子の座面や座布団、又は寝具等に敷くマットの形態、額、首、又は目元等にあてがうシート、クッション、又はマスク等の形態、手首、腕、胸囲、腹囲、腰、大腿部、膝、すね、足首等にあてがうベルト、又はバンド等の形態、下着やサポーター等の衣類に装着するパット等の形態など、種々の態様とすることができ、特に限定されない。
【００２３】
本発明の芒硝水溶液中に析出する芒硝の結晶成長を抑制する方法は、前記芒硝水溶液にスメクタイト及びゲル化剤を添加する工程を含むことを特徴とする。
前述したように、硫酸ナトリウム水溶液を３２℃以下に冷却すると、過飽和分の硫酸ナトリウムは水和物として析出する。硫酸ナトリウム水溶液に前述したスメクタイト及びゲル化剤を添加することにより、芒硝の微細結晶が水溶液全体に均一に分散してその成長を抑制し、結晶が大きくなるのを抑えることができる。特に、芒硝の溶解と再結晶を繰り返すと、結晶はより大きく成長する傾向があるが、スメクタイト及びゲル化剤を添加することにより、再結晶を繰り返しても結晶の成長を抑制することができる。
本発明の方法において、芒硝水溶液に添加するスメクタイトとしては、前述のスメクタイトが挙げられ、ゲル化剤としては、前述のゲル化剤が挙げられる。また、５０〜８５重量％の芒硝水溶液に添加するスメクタイト及びゲル化剤の量は特に制限はないが、芒硝水溶液に対してスメクタイトとして総量で０．１〜１０重量％及びゲル化剤として総量で２〜１０重量％であることが好ましく、スメクタイトとして１〜１０重量％及びゲル化剤として３〜９重量％であることがより好ましい。
【実施例】
【００２４】
以下、本発明について実施例を挙げより詳細に説明するが、本発明は以下の実施例により何ら限定されるものではない。
【００２５】
＜恒温冷媒剤（実施例）の作製＞
下記の表１の処方にしたがって、実施例１〜５の恒温冷媒剤を作製した。具体的には、超純水を３５℃に加温し、攪拌下でイ、ニ、ロ、及び予め混合したハ成分を順に添加し、均一に混合した後に放冷し、透明袋に充填・封入した。
【００２６】
【表１】
2013177538.tif 000002
【００２７】
＜恒温冷媒剤（比較例）の作製＞
上記実施例と同様に下記の表２の処方にしたがって、比較例１〜５の恒温冷媒剤を作製した。
【００２８】
【表２】
2013177538.tif 000003
【００２９】
＜試験例１＞
上記のとおり作製した実施例１〜５及び比較例１〜５の恒温冷媒剤を用いて、冷却効果の持続性、及び繰り返し使用後の冷却効果を評価した。
具体的には、恒温冷媒剤を３５℃の恒温箱に静置し、温度センサーを恒温冷媒剤内部に差し込み、１０秒毎の恒温冷媒剤の温度を測定した。測定時間は１２時間とし、測定後恒温冷媒剤を室温で１２時間以上静置した後、再度同様の測定を行い、これを６回繰り返した。
測定開始から恒温に至るまでの時間を表３及び表４に示す。
作製直後の測定において、いずれの恒温冷媒剤も約６時間以上もの長時間の間、冷却効果が持続することが認められた。また、実施例１〜５の恒温冷媒剤は、芒硝の結晶が溶解した後に再結晶させる工程を６回繰り返した場合でも冷却効果が長時間持続し、むしろ持続時間が長くなった。一方、比較例１〜５の恒温冷媒剤は、芒硝の溶解と再結晶とを繰り返しても冷却効果の持続時間に特に変化は見られなかった。恒温冷媒剤これらにより、本発明の恒温冷媒剤が長時間冷却効果を持続でき、かつ繰り返し使用してもその持続性が衰
えないことが示された。
【００３０】
【表３】
2013177538.tif 000004
【００３１】
【表４】
2013177538.tif 000005
【００３２】
＜試験例２＞
上記の通り作製した恒温冷媒剤について、初期接触時の冷感に関する使用感を評価した。
具体的には、作製後室温で１２時間静置した実施例１及び比較例４の恒温冷媒剤を、室温において素手で触ったところ、実施例１の恒温冷媒剤は触ったとたんにひんやりした感触が得られたのに対し、比較例４の恒温冷媒剤では冷感を得るのに数秒〜数十秒かかった。これにより、恒温冷媒剤に水及びゲル化剤を含有させることによって、優れた初期接触時の冷感が得られることが示された。
【００３３】
＜試験例３＞
上記の通り作製した恒温冷媒剤について、保形性及び結晶成長抑制効果を評価した。
具体的には実施例１〜５及び比較例１〜５の恒温冷媒剤を一晩室温にて静置したところ、実施例１の恒温冷媒剤は芒硝の細かい（長径約０．５ｃｍ）結晶が恒温冷媒剤全体に分散し、また柔軟性とクッション性を有したゲル状のままで袋体封入時の形状を維持していた。それに対し、比較例１〜５の恒温冷媒剤では長径３ｃｍ以上の大きな板状の芒硝の結晶が析出した。さらに比較例４及び５の液体部分はさらさらした流動性があり、ごつごつした感触だった。これにより、恒温冷媒剤にスメクタイト及びゲル化剤を含有させることによって、芒硝の結晶成長が抑制され、優れた保形性及び感触が得られることが示された。
【００３４】
＜恒温冷媒剤（溶剤追加実施例）の作成＞
下記の表５の処方にしたがって、実施例６〜７の恒温冷媒剤を作製した。具体的には、超純水を３５℃に加温し、攪拌下でイ、ニ、ロ、及び予めホと混合したハ成分を順に添加し、均一に混合した後に放冷し、透明袋に充填・封入した。
【００３５】
【表５】
2013177538.tif 000006
【００３６】
上記の通り作製した実施例６及び７の恒温冷媒剤は、実施例１〜５で得られた恒温冷媒剤と同様に、冷却効果の持続性に優れ、繰り返し利用可能であって、長時間使用後の保形性が良く、繰り返し使用後の結晶成長の問題もなく、さらに初期接触時の冷感作用にも優れた恒温冷媒剤として使用可能であった。また、高温で長時間保存されていたために製剤中の結晶が完全に溶けきった場合でも容易に再結晶化させることができ、繰り返し使用した際にまれに生じる製剤の分離も起きにくくなることがわかった。
【産業上の利用可能性】
【００３７】
本発明によれば、恒温冷媒剤冷却効果の持続性に優れ、繰り返し利用可能であって、長時間使用後の保形性が良く、繰り返し使用後の結晶成長の問題もなく、さらに初期接触時の冷感作用にも優れた芒硝を含有する恒温冷媒剤が提供される。さらに、本発明の恒温冷媒剤を袋体に封入した場合に、内容物の漏れも低減される。したがって、本発明は産業上有用である。